(57)【要約】【課題】ユーザの利便性を向上させることができる移動局装置、基地局装置、および通信システムを提供すること。【解決手段】移動局装置は、第１の基地局装置および第２の基地局装置と通信を行う移動局装置において、第１の通信モードから第２の通信モードへの切り替えが可能か否かの問い合わせを前記第１の基地局装置に送信する切り替え問い合わせ部と、前記第１の基地局装置から前記問い合わせの回答としての切り替え可否回答を受領する受領部と、前記受領部により受領された前記切り替え可否回答に基づいて第１の通信モードから第２の通信モードへの切り替え要求を前記第１の基地局装置に送信する要求部と、備える。【選択図】図７
2015050665.tif 000002
【特許請求の範囲】
【請求項１】
第１の基地局装置および第２の基地局装置と通信を行う移動局装置において、
第１の通信モードから第２の通信モードへの切り替えが可能か否かの問い合わせを前記第１の基地局装置に送信する切り替え問い合わせ部と、
前記第１の基地局装置から前記問い合わせの回答として切り替え可否回答を受領する受領部と、
前記受領部により受領された前記切り替え可否回答に基づいて第１の通信モードから第２の通信モードへの切り替え要求を前記第１の基地局装置に送信する要求部と、
を備えること
を特徴とする移動局装置。
【請求項２】
前記切り替え問い合わせ部は、前記移動局装置の電力量または前記移動局装置におけるデータの再送処理頻度に基づいて、前記第１の通信モードから第２の通信モードへの切り替えが可能か否かの問い合わせを前記第１の基地局装置に送信すること
を特徴とする請求項１に記載の移動局装置。
【請求項３】
第１の通信モードから第２の通信モードへの切り替えが可能か否かの問い合わせを受領する問い合わせ受領部と、
前記問い合わせ受領部が受領した前記問い合わせに基づいて、他の基地局装置に第１の通信モードから第２の通信モードへの切り替えが可能か否かの問い合わせを行う確認部と、
前記確認部による問い合わせの応答として前記他の基地局装置から切り替え可否回答を受信する回答受信部と、
前記回答受信部により受信された切り替え可否回答に基づいて、移動局装置に切り替え可否回答を送信する回答送信部と、
を備えることを特徴とする基地局装置。
【請求項４】
第１の通信モードから第２の通信モードへの切り替えの要求を受信する要求受信部と、
前記要求受信部が受信した前記要求に基づいて、第１の通信モードから第２の通信モードに切り替える切り替え実行部と、
前記切り替え実行部による第１の通信モードから第２の通信モードへの切り替えが完了すると、当該完了したことを他の基地局装置に通知する通知部と、
を備えること
を特徴とする基地局装置。
【請求項５】
第１の基地局装置、第２の基地局装置、および前記第１の基地局装置と前記第２の基地局装置と通信を行う移動局装置を備える通信システムにおいて、
前記移動局装置は、
第１の通信モードから第２の通信モードへの切り替えが可能か否かの問い合わせを前記第１の基地局装置に送信する切り替え問い合わせ部と、
前記第１の基地局装置から前記問い合わせの回答としての切り替え可否回答を受領する受領部と、
前記受領部により受領された前記切り替え可否回答に基づいて第１の通信モードから第２の通信モードへの切り替え要求を前記第１の基地局装置に送信する要求部と、
を備え、
前記第１の基地局装置は、
前記移動局装置から受信した前記第１の通信モードから第２の通信モードへの切り替えが可能か否かの問い合わせに基づいて、前記第２の基地局装置に第１の通信モードから第２の通信モードへの切り替えが可能か否かの問い合わせを行う確認部と、
前記確認部による問い合わせの応答として第２の基地局装置から切り替え可否回答を受信する受信部と、
前記受信部により受信された切り替え可否回答に基づいて、前記移動局装置に切り替え可否回答を送信する回答送信部と、
を備え、
前記第２の基地局装置は、
前記移動局装置から受信した前記切り替え要求に基づいて、第１の通信モードから第２の通信モードへの切り替えを実行する切り替え実行部と、
前記切り替え実行部による第１の通信モードから第２の通信モードへの切り替えが完了すると、当該完了したことを前記第１の基地局装置に通知する通知部と、
を備えることを特徴とする通信システム。
【発明の詳細な説明】
【技術分野】
【０００１】
本発明は、移動局装置、基地局装置、および通信システムに関する。
【背景技術】
【０００２】
マクロセル基地局装置およびスモールセル基地局装置と移動局装置とのデュアル接続で、単一上りリンク機能に関する拡張性機能が提案されている。これは、移動局装置が時分割多重方式でマクロセル基地局装置およびスモールセル基地局装置にＨＡＲＱ（Ｈｙｂｒｉｄ  Ａｕｔｏｍａｔｉｃ  ｒｅｐｅａｔ  ｒｅｑｕｅｓｔ；ハイブリッド自動再送要求）フィードバックを伝達し、移動局装置が１セルのみ上りリンク接続を行い、セル間で情報転送を行うというものである（非特許文献１  参照）。また、ＨＡＲＱフィードバックの単一上りリンク接続方式では、マクロセル基地局装置とスモールセル基地局装置とのデュアル下りリンク接続時に、上りリンクは時分割多重方式を用いた単一上りリンク接続とし、マクロセル基地局装置とスモールセル基地局装置とを交互に複数フレーム分のＨＡＲＱフィードバックを行うことで、マクロセル基地局装置およびスモールセル基地局装置のデータレートを高めていた（非特許文献２  参照）。
【先行技術文献】
【非特許文献】
【０００３】
【非特許文献１】Ｉｎｔｅｌ  Ｃｏｒｐｏｒａｔｉｏｎ、“Ｄｕａｌ  ｃｏｎｎｅｃｔｉｖｉｔｙ  ｆｏｒ  ＵＥｓ  ｓｕｐｐｏｒｔｉｎｇ  ｏｎｅ  ＵＬ  ＣＣ”、３ＧＰＰ  ＴＳＧ  ＲＡＮ  ＷＧ２  Ｍｅｅｔｉｎｇ  ＃８１ｂｉｓ  Ｒ２−１３１４１０
【非特許文献２】ＡＳＵＳＴｅＫ、“Ｄｉｓｃｕｓｓｉｏｎ  ｏｎ  ｄｕａｌ  ｃｏｎｎｅｃｔｉｖｉｔｙ  ｆｏｒ  ｓｉｎｇｌｅ  ＵＬ  ＣＣ  ｃａｐａｂｌｅ  ＵＥｓ”、３ＧＰＰ  ＴＳＧ−ＲＡＮ  ＷＧ２  Ｍｅｅｔｉｎｇ  ＃８２  Ｒ２−１３１８４８
【発明の概要】
【発明が解決しようとする課題】
【０００４】
しかしながら、単一上りリンク接続では、通信に誤りが生じない場合には下り方向（基地局装置から移動局装置）の通信のピークデータレートを最大にすることができるが、伝搬状態（無線状態）が劣悪な環境において通信に誤りが生じた場合には、ＨＡＲＱフィードバックをフレームごとに行っていないため、再送処理開始の遅れや再送制御の複雑化などの影響により、データレートが低下してしまうという問題があった。また、データレートの低下を防ぐために単一上りリンク接続を使用せずにデュアル上りリンク接続を行った場合には、消費電力が増大してしまうという問題があった。このように、ユーザの利便性が十分でないという課題があった。
【０００５】
本発明は上記の点に鑑みてなされたものであり、ユーザの利便性を向上させることができる移動局装置、基地局装置、および通信システムを提供することを課題とする。
【課題を解決するための手段】
【０００６】
本発明は上記の課題を解決するためになされたものであり、本発明の第一の態様は、第１の基地局装置および第２の基地局装置と通信を行う移動局装置において、第１の通信モードから第２の通信モードへの切り替えが可能か否かの問い合わせを前記第１の基地局装置に送信する切り替え問い合わせ部と、前記第１の基地局装置から前記問い合わせの回答として切り替え可否回答を受領する受領部と、前記受領部により受領された前記切り替え可否回答に基づいて第１の通信モードから第２の通信モードへの切り替え要求を前記第１の基地局装置に送信する要求部と、を備えることを特徴とする移動局装置である。
【発明の効果】
【０００７】
本発明の移動局装置、基地局装置、および通信システムによれば、ユーザの利便性を向上させることができる。
【図面の簡単な説明】
【０００８】
【図１】本発明の第１の実施形態に係る通信システムの通信状況の一例を示す概略図である。
【図２】本発明の第１の実施形態に係る通信システムの通信状況の他の一例を示す概略図である。
【図３】本発明の第１の実施形態に係る上りリンク複数通信モードにおけるサブフレームの構成の一例を示す概略図である。
【図４】本発明の第１の実施形態に係る上りリンク単一通信モードにおけるサブフレームの構成の他の一例を示す概略図である。
【図５】本発明の第１の実施形態に係るマクロセル基地局装置の構成の一例を示す概略ブロック図である。
【図６】本発明の第１の実施形態に係るスモールセル基地局装置の構成の一例を示す概略ブロック図である。
【図７】本発明の第１の実施形態に係る移動局装置の構成の一例を示す概略ブロック図である。
【図８】本発明の第１の実施形態に係る移動局装置のデータ通信の開始時における処理の一例を示すフローチャートである。
【図９】本発明の第１の実施形態に係る移動局装置のデータ通信時における処理の一例を示すフローチャートである。
【図１０】本発明の第１の実施形態に係る上りリンク切り替え処理の一例を示すシーケンス図である。
【図１１】本発明の第１の実施形態に係る移動局装置における処理の一例を示すフローチャートである。
【図１２】本発明の第１の実施形態に係るマクロセル基地局装置における処理の一例を示すフローチャートである。
【図１３】本発明の第１の実施形態に係るスモールセル基地局装置における処理の一例を示すフローチャートである。
【発明を実施するための形態】
【０００９】
（第１の実施形態）
以下、図面を参照しながら本発明の第１の実施形態について詳しく説明する。
図１は、本発明の第１の実施形態に係る通信システムＳの通信状況Ｓ１の一例を示す概略図である。
通信システムＳは、第１の基地局装置と、第２の基地局装置と、移動局装置３と、を含んで構成される。第１の基地局装置は、例えばマクロセル基地局装置１である。また、第２の基地局装置は、例えば、スモールセル基地局装置２である。
【００１０】
マクロセル基地局装置１は、セルＣＭを通信範囲とし、当該セルＣＭ内の移動局装置３と通信する。また、スモールセル基地局装置２は、セルＣＳを通信範囲とし、当該セルＣＳ内の移動局装置３と通信する。図示する例では、セルＣＳがセルＣＭの一部と重畳し、当該重畳する部分に移動局装置３が存在するため、移動局装置３は、マクロセル基地局装置１とスモールセル基地局装置２と通信を行う。
【００１１】
ここで、図中のＤＬは、下りリンク、すなわち、各基地局装置から移動局装置３に対する通信の向きを表し、ＵＬは、上りリンク、すなわち、移動局装置３から各基地局装置に対する通信の向きを表す。
この例では、移動局装置３は、下りリンクＤＬにおいて複数のリンク、例えば２つのリンク（以下、デュアルリンクともいう。）でマクロセル基地局装置１およびスモールセル基地局装置２に接続し、デュアル通信モードで当該２つの基地局装置と通信を行う。また、移動局装置３は、上りリンクＵＬにおいても同様に、マクロセル基地局装置１およびスモールセル基地局装置２にデュアルリンクで接続し、複数通信モード（以下、デュアル通信モードともいう）で当該２つの基地局装置と通信を行う。
【００１２】
図２は、本発明の第１の実施形態に係る通信システムＳの通信状況Ｓ２の他の一例を示す概略図である。
通信システムＳの構成は、図１と同様の構成であるので説明を省略する。図示する例では、移動局装置３は、下りリンクＤＬにおいて、図１と同様にマクロセル基地局装置１およびスモールセル基地局装置２にデュアルリンクで接続し、デュアル通信モードで当該２つの基地局装置と通信を行う。一方、移動局装置３は、上りリンクＵＬにおいて、時分割多重方式を採用し、マクロセル基地局装置１またはスモールセル基地局装置２と交互に単一リンク（以下、シングルリンクともいう）で接続し、マクロセル基地局装置１またはスモールセル基地局装置２の一方と単一通信モード（以下、シングル通信モードともいう）で通信を行う。
【００１３】
図３は、本発明の第１の実施形態に係る上りリンク複数通信モードにおけるサブフレームの構成の一例を示す概略図である。
図示する例において、テーブルＴ１は、サブフレーム番号と、マクロセル基地局装置１の下りリンクＨＡＲＱプロセスを表すマクロセルのＨＡＲＱプロセス（ＤＬ）と、スモールセル基地局装置２の下りリンクのＨＡＲＱプロセスを表すスモールセルのＨＡＲＱプロセス（ＤＬ）と、移動局装置３からマクロセル基地局装置１への上りリンクＨＡＲＱ  ＡＣＫを表すマクロセルへのＨＡＲＱ  ＡＣＫ（ＵＬ）と、移動局装置３からスモールセル基地局装置２への上りリンクＨＡＲＱ  ＡＣＫを表すスモールセルＨＡＲＱ  ＡＣＫ（ＵＬ）と、の各項目行と、各項目行に対応するサブフレーム番号ｎ、ｎ＋１、ｎ＋２、・・・、ｎ＋１５の各項目列を有する行と列からなる２次元の表形式のテーブルである。
【００１４】
図示する例では、上りリンクがデュアル通信モード、すなわち、移動局装置３とマクロセル基地局装置１、移動局装置３とスモールセル基地局装置２がそれぞれ接続され、通信を行っている。つまり、マクロセルのＨＡＲＱプロセス（ＤＬ）またはスモールセルのＨＡＲＱプロセス（ＤＬ）に示された各サブフレーム番号に対応するＨＡＲＱ  ＡＣＫが、マクロセルへのＨＡＲＱ  ＡＣＫ（ＵＬ）またはスモールセルへのＨＡＲＱ  ＡＣＫ（ＵＬ）に示された各サブフレーム番号で送信されることを表している。例えば、サブフレーム番号ｎのマクロセルのＨＡＲＱプロセス（ＤＬ）０に該当するＨＡＲＱ  ＡＣＫは、サブフレーム番号ｎ＋４のマクロセルへのＨＡＲＱ  ＡＣＫ（ＵＬ）０で送信されることを表している。
【００１５】
図４は、本発明の第１の実施形態に係る上りリンク単一通信モードにおけるサブフレームの構成の他の一例を示す概略図である。
図示する例において、テーブルＴ２は、サブフレーム番号と、マクロセル基地局装置１の下りリンクＨＡＲＱプロセスを表すマクロセルのＨＡＲＱプロセス（ＤＬ）と、スモールセル基地局装置２の下りリンクのＨＡＲＱプロセスを表すスモールセルのＨＡＲＱプロセス（ＤＬ）と、移動局装置３からマクロセル基地局装置１への上りリンクＨＡＲＱ  ＡＣＫを表すマクロセルへのＨＡＲＱ  ＡＣＫ（ＵＬ）と、移動局装置３からスモールセル基地局装置２への上りリンクＨＡＲＱ  ＡＣＫを表すスモールセルＨＡＲＱ  ＡＣＫ（ＵＬ）と、の各項目行と、各項目行に対応するサブフレーム番号ｎ、ｎ＋１、ｎ＋２、・・・、ｎ＋１５の各項目列を有する行と列からなる２次元の表形式のテーブルである。
【００１６】
図示する例では、上りリンクがシングル通信モード、すなわち、移動局装置３とマクロセル基地局装置１、または移動局装置３とスモールセル基地局装置２のいずれか一方が交互に接続され、通信を行っている。つまり、マクロセルのＨＡＲＱプロセス（ＤＬ）に示された各サブフレーム番号に対応するＨＡＲＱ  ＡＣＫが、マクロセルへのＨＡＲＱ  ＡＣＫ（ＵＬ）に示された各サブフレーム番号でまとめて送信されることを表している。例えば、サブフレーム番号ｎ〜ｎ＋４のマクロセルのＨＡＲＱプロセス（ＤＬ）０、１、２、３に該当するＨＡＲＱ  ＡＣＫは、サブフレーム番号ｎ＋４のマクロセルへのＨＡＲＱ  ＡＣＫ（ＵＬ）０１２３で送信されることを表している。同様に、サブフレーム番号ｎ〜ｎ＋４のスモールセルのＨＡＲＱプロセス（ＤＬ）０、１、２、３に該当するＨＡＲＱ  ＡＣＫは、サブフレーム番号ｎ＋６のマクロセルへのＨＡＲＱ  ＡＣＫ（ＵＬ）０１２３で送信されることを表している。
【００１７】
図５は、本発明の第１の実施形態に係るマクロセル基地局装置１の構成の一例を示す概略ブロック図である。
マクロセル基地局装置１は、通信部１０１と、問い合わせ受領部１０２と、確認部１０３と、ネットワーク通信部１０４と、回答受信部１０５と、回答送信部１０６と、要求受信部１０７と、要求送信部１０８と、応答受信部１０９と、応答送信部１１０と、切り替え実行部１１１と、を含んで構成される。
【００１８】
通信部１０１は、移動局装置３とネットワークＮ１を介して通信を行う。通信部１０１は、データの符号化／復号化、変調／復調、ＡＤ（Ａｎａｌｏｇ  ｔｏ  Ｄｉｇｉｔａｌ）／ＤＡ（Ｄｉｇｉｔａｌ  ｔｏ  Ａｎａｌｏｇ）変換、周波数変換、無線波によるデータ信号の送受信などの通信処理を行う。
問い合わせ受領部１０２は、通信部１０１を介して移動局装置３から上りリンクの通信モードをシングル通信モードからデュアル通信モード、デュアル通信モードからシングル通信モードへの切り替えが可能か否かの問い合わせを受領する。問い合わせ受領部１０２は、受領した問い合わせを確認部１０３に出力する。
【００１９】
確認部１０３は、問い合わせ受領部１０２から問い合わせが入力されると、自装置の通信モードの切り替えが可能か否かを判定する。確認部１０３は、自装置の通信モードの切り替えが可能である場合、問い合わせ受領部１０２から入力された問い合わせを、ネットワーク通信部１０４を介してスモールセル基地局装置２に送信し、スモールセル基地局装置２にシングル通信モードからデュアル通信モード、またはデュアル通信モードからシングル通信モードへの切り替えが可能か否かを確認する。一方、確認部１０３は、自装置の通信モードの切り替えが不可能である場合、自装置の通信モードの切り替えが不可能であることを表す通信モードの切り替え不可能通知を、切り替え可否回答として生成し、生成した切り替え可否回答を、通信部１０１およびネットワークＮ１を介して移動局装置３に送信する。
【００２０】
ネットワーク通信部１０４は、ネットワークＮ１に接続され、当該ネットワークＮ１を介してスモールセル基地局装置２と通信を行う。
回答受信部１０５は、確認部１０３による問い合わせの応答として、ネットワークＮ１およびネットワーク通信部１０４を介して、スモールセル基地局装置２からシングル通信モードからデュアル通信モード、デュアル通信モードからシングル通信モードへの切り替えが可能か否かの回答を受信する。回答受信部１０５は、受信した回答を回答送信部１０６に出力する。
【００２１】
回答送信部１０６は、回答受信部１０５から入力された回答を、通信部１０１およびネットワークＮ１を介して移動局装置３に送信する。
要求受信部１０７は、回答送信部１０６が送信した回答の応答として、ネットワークＮ１および通信部１０１を介して、移動局装置３から通信モードの切り替え要求を受信する。要求受信部１０７は、受信した通信モードの切り替え要求を要求送信部１０８に出力する。
要求送信部１０８は、要求受信部１０７から入力された通信モードの切り替え要求を、ネットワーク通信部１０４およびネットワークＮ１を介してスモールセル基地局装置２に送信する。
【００２２】
応答受信部１０９は、要求送信部１０８が送信した通信モードの切り替え要求に対する応答として、スモールセル基地局装置２が通信モードの切り替えを実行し、当該通信モードの切り替えが完了したことを表す完了応答を、ネットワークＮ１およびネットワーク通信部１０４を介して受信する。応答受信部１０９は、受信した完了応答を切り替え実行部１１１に出力する。
切り替え実行部１１１は、応答受信部１０９から完了応答が入力されると、自装置の通信モードの切り替えを実行する。そして、切り替え実行部１１１は、自装置の通信モードの切り替えおおびスモール基地局装置２の通信モードの切り替えが完了したことを表す完了応答を、応答送信部１１０に出力する。
応答送信部１１０は、切り替え実行部１１１から入力された完了応答を、通信部１０１およびネットワークＮ１を介して移動局装置３に送信する。
【００２３】
図６は、本発明の第１の実施形態に係るスモールセル基地局装置２の構成の一例を示す概略ブロック図である。
スモールセル基地局装置２は、ネットワーク通信部２０１と、問い合わせ受領部２０２と、回答送信部２０３と、要求受信部２０４と、切り替え実行部２０５と、通知部２０６と、を含んで構成される。スモールセル基地局装置２は、その他に移動局装置３と通信を行う通信部などを備えるが、図示および説明は省略する。
ネットワーク通信部２０１は、ネットワークＮ１に接続され、当該ネットワークＮ１を介してマクロセル基地局装置１と通信を行う。
問い合わせ受領部２０２は、ネットワーク通信部２０１を介してマクロセル基地局装置１から上りリンクの通信モードをシングル通信モードからデュアル通信モード、デュアル通信モードからシングル通信モードへの切り替えが可能か否かの問い合わせを受領する。問い合わせ受領部２０２は、受領した問い合わせを回答送信部２０３に出力する。
【００２４】
回答送信部２０３は、問い合わせ受領部２０２から問い合わせが入力されると、シングル通信モードからデュアル通信モード、デュアル通信モードからシングル通信モードへの切り替えが可能か否かを判定し、切り換えが可能である場合には変更可能通知を生成し、切り換えが不可能である場合には変更不可能通知を生成する。回答送信部２０３は、生成した変更可能通知または変更不可能通知を、問い合わせ受領部２０２が受領した問い合わせに対する回答としてネットワーク通信部２０１およびネットワークＮ１を介してマクロセル基地局装置１に送信する。
【００２５】
要求受信部２０４は、ネットワークＮ１およびネットワーク通信部２０１を介してマクロセル基地局装置１から通信モードの切り替え要求を受信する。要求受信部２０４は、受信した切り替え要求を切り替え実行部２０５に出力する。
切り替え実行部２０５は、要求受信部２０４から通信モードの切り替え要求が入力されると、当該切り替え要求に含まれる通信モードの種別を参照して、通信モードの切り替えを実行する。切り替え実行部２０５は、通信モードの切り替えを実行すると、切り替え完了通知を通知部２０６に出力する。
通知部２０６は、切り替え実行部２０５から切り替え完了通知が入力されると、通信モードの切り替えが完了したことを表す完了応答を生成する。通知部２０６は、生成した完了応答を、ネットワーク通信部２０１およびネットワークＮ１を介してマクロセル基地局装置１に送信する。
【００２６】
図７は、本発明の第１の実施形態に係る移動局装置３の構成の一例を示す概略ブロック図である。
移動局装置３は、受信アンテナ３０１−１、・・・、３０１−Ｎと、第１受信部３０２−１、・・・、第Ｎ受信部３０２−Ｎと、制御部３０３と、第１送信部３０８−１、・・・、第Ｎ送信部３０８−Ｎと、送信アンテナ３０９−１、・・・、３０９−Ｎと、を含んで構成される。制御部３０３は、ＨＡＲＱ処理部３０３１を含んで構成される。ＨＡＲＱ処理部３０３１は、単一ＨＡＲＱフィードバック処理部３０４と、複数ＨＡＲＱフィードバック処理部３０５と、再送頻度判定部３０６と、切り替えトリガ判定部３０７と、ユーザ設定記憶部３１０と、電池状態検出部３１１と、電池状態判定部３１２と、閾値記憶部３１３と、を含んで構成される。単一ＨＡＲＱフィードバック処理部３０４は、切り替え問い合わせ部３０４１と、受領部３０４２と、要求部３０４３と、を含んで構成される。また、複数ＨＡＲＱフィードバック処理部３０５は、切り替え問い合わせ部３０５１と、受領部３０５２と、要求部３０５３と、を含んで構成される。
なお、以下の説明において、受信アンテナ３０１−１、・・・、３０１−Ｎを受信アンテナ３０１と称し、第１受信部３０２−１、・・・、第Ｎ受信部３０２−Ｎを受信部３０２と称し、第１送信部３０８−１、・・・、第Ｎ送信部３０８−Ｎを送信部３０８と称し、送信アンテナ３０９−１、・・・、３０９−Ｎを送信アンテナ３０９と称する。
【００２７】
閾値記憶部３１３は、後述する電池に関する閾値、再送頻度に関する閾値など、各種閾値を記憶している。
ユーザ設定記憶部３１０は、ユーザにより設定されたデータレートを優先するか否か、または電池残量を優先するか否かのユーザ設定を記憶している。
受信部３０２は、ネットワークＮ１、受信アンテナ３０１を介してマクロセル基地局装置１、およびスモールセル基地局装置２と通信を行う。受信部３０２は、データの符号化／復号化、変調／復調、ＡＤ／ＤＡ変換、周波数変換、無線波によるデータ信号の送受信などの通信処理を行う。そして、受信部３０２は、通信処理した信号を制御部３０３に出力する。
【００２８】
単一ＨＡＲＱフィードバック処理部３０４は、シングル通信モードにおける誤り検出、再送処理、ＨＡＲＱフィードバックなどの各種処理を行う。また、単一ＨＡＲＱフィードバック処理部３０４は、通信モードの切り替えに関する処理を実行する。通信モードの切り替えに関する処理を以下で詳述する。
切り替え問い合わせ部３０４１は、デュアル通信モードでの通信からシングル通信モードでの通信に切り替える場合、デュアル通信モードからシングル通信モードへの切り替えが可能か否かの問い合わせを送信部３０８、送信アンテナ３０９、およびネットワークＮ１を介してマクロセル基地局装置１に送信する。
【００２９】
受領部３０４２は、切り替え問い合わせ部３０４１が送信した問い合わせに対する回答として、デュアル通信モードからシングル通信モードへの切り替え可否の回答をネットワークＮ１、受信アンテナ３０１、および受信部３０２を介して受領する。
要求部３０４３は、受領部３０４２が受領した通信モードの切り替え可否の回答が切り替え可能であることを表す場合、シングル通信モードへの切り替えを指示する通信モードの切り替え要求を、送信部３０８、送信アンテナ３０９、およびネットワークＮ１を介してマクロセル基地局装置１に送信する。そして、要求部３０４３は、送信した通信モードの切り替え要求に対する応答として、通信モードの切り替え完了応答を、ネットワークＮ１、受信アンテナ３０１、および受信部３０２を介して受領する。
【００３０】
複数ＨＡＲＱフィードバック処理部３０５は、デュアル通信モードにおける誤り検出、再送処理、ＨＡＲＱフィードバックなどの各種処理を行う。また、複数ＨＡＲＱフィードバック処理部３０５は、通信モードの切り替えに関する処理を実行する。通信モードの切り替えに関する処理を以下で詳述する。
切り替え問い合わせ部３０５１は、シングル通信モードでの通信からデュアル通信モードでの通信に切り替える場合、シングル通信モードからデュアル通信モードへの切り替えが可能か否かの問い合わせを送信部３０８、送信アンテナ３０９、およびネットワークＮ１を介してマクロセル基地局装置１に送信する。
【００３１】
受領部３０５２は、切り替え問い合わせ部３０５１が送信した問い合わせに対する回答として、シングル通信モードからデュアル通信モードへの切り替え可否の回答をネットワークＮ１、受信アンテナ３０１、および受信部３０２を介して受領する。
要求部３０５３は、受領部３０４２が受領した通信モードの切り替え可否の回答が切り替え可能であることを表す場合、デュアル通信モードへの切り替えを指示する通信モードの切り替え要求を、送信部３０８、送信アンテナ３０９、およびネットワークＮ１を介してマクロセル基地局装置１に送信する。そして、要求部３０４３は、送信した通信モードの切り替え要求に対する応答として、通信モードの切り替え完了応答を、ネットワークＮ１、受信アンテナ３０１、および受信部３０２を介して受領する。
【００３２】
再送頻度判定部３０６は、シングル通信モード、デュアル通信モードの各通信モードにおける再送処理頻度を計測する。また、再送頻度判定部３０６は、閾値記憶部３１３から再送頻度に関する閾値を読み出す。シングル通信モードで通信を行っている場合には、再送頻度判定部３０６は、計測した再送頻度が閾値以上か否かを判定し、再送頻度が閾値以上である場合、デュアル通信モードに切り替えると判定する。また、デュアル通信モードで通信を行っている場合には、再送頻度判定部３０６は、計測した再送頻度が閾値以下か否かを判定し、再送頻度が閾値以下である場合、シングル通信モードに切り替えると判定する。
【００３３】
電池状態検出部３１１は、移動局装置３が備える電池の電力量を検出する。
電池状態判定部３１２は、検出された電池の電力量と電池に関する閾値とを比較して、電池残量を算出する。例えば、閾値記憶部３１３が記憶する電池に関する閾値は、段階的な閾値、例えば１０段階の閾値であり、電池状態判定部３１２は、電池の電力量が最上位の閾値以上である場合、電池残量が１００％とし、１段目の閾値以上、かつ最上位の閾値未満である場合、電池残量が９０％として判定する。
切り替えトリガ判定部３０７は、電池状態判定部３１２、再送頻度判定部３０６の判定結果、およびユーザ設定記憶部３１０が記憶するユーザ設定に基づいて、デュアル通信モードからシングル通信モード、シングル通信モードからデュアル通信モード、のように通信モードを切り替えるか否かを判定し、判定結果に応じて単一ＨＡＲＱフィードバック処理部３０４または複数ＨＡＲＱフィードバック処理部３０５に通信モードの切り替えに関する処理を実行させる。
【００３４】
図８は、本発明の第１の実施形態に係る移動局装置３のデータ通信の開始時における処理の一例を示すフローチャートである。
ステップＳＴ１０１において、切り替えトリガ判定部３０７は、ユーザ設定記憶部３１０が記憶するユーザ設定が記憶されているか否かを判定する。ユーザ設定が記憶されている場合、ステップＳＴ１０２に進む。一方、ユーザ設定が記憶されていない場合、ステップＳＴ１０３に進む。
ステップＳＴ１０２において、切り替えトリガ判定部３０７は、ユーザ設定記憶部３１０が記憶するユーザ設定がデータレートを優先するユーザ設定である場合、上りリンクデュアル通信モードを選択（デュアルＵＬ選択）し、通信を開始する。一方、ユーザ設定がデータレートを優先するユーザ設定でない場合、上りリンクシングル通信モードを選択（単一ＵＬ選択）し、通信を開始する。
【００３５】
ステップＳＴ１０３において、切り替えトリガ判定部３０７は、電池状態が良好、すなわち、電池残量が所定の閾値以上（例えば、５０％以上）であるか否かを判定する。電池残量が所定の閾値以上である場合、上りリンクデュアル通信モードを選択（デュアルＵＬ選択）し、通信を開始する。一方、電池残量が所定の閾値未満である場合、ステップＳＴ１０４に進む。
ステップＳＴ１０４において、切り替えトリガ判定部３０７は、送信電力が小さい、すなわち、移動局装置３が信号を送信するときの送信電力が所定の値以下か否かを判定する。送信電力が所定の値以下である場合、上りリンクデュアル通信モードを選択（デュアルＵＬ選択）し、通信を行う。一方、送信電力が所定の値以下でない場合、上りリンクシングル通信モードを選択（単一ＵＬ選択）し、通信を開始する。
【００３６】
図９は、本発明の第１の実施形態に係る移動局装置３のデータ通信時における処理の一例を示すフローチャートである。
ステップＳＴ２０１において、切り替えトリガ判定部３０７は、ＨＡＲＱの再送頻度が直前のＨＡＲＱの再送頻度から変化したか否かを判定する。ＨＡＲＱの再送頻度が直前のＨＡＲＱの再送頻度から変化した場合、ステップＳＴ２０２に進む。一方、ＨＡＲＱの再送頻度が直前のＨＡＲＱの再送頻度から変化していない場合、すなわち、直前のＨＡＲＱの再送頻度とＨＡＲＱの再送頻度が略同じ場合、ステップＳＴ２０１を繰り返す。
【００３７】
ステップＳＴ２０２において、切り替えトリガ判定部３０７は、ユーザ設定記憶部３１０がユーザ設定を記憶しているか否かを判定する。ユーザ設定が記憶されている場合、ステップＳＴ２０１に戻る。一方、ユーザ設定が記憶されていない場合、ステップＳＴ２０３に進む。
ステップＳＴ２０３において、切り替えトリガ判定部３０７は、ＨＡＲＱの再送頻度が直前のＨＡＲＱの再送頻度より減ったか否かを判定する。ＨＡＲＱの再送頻度が直前のＨＡＲＱの再送頻度より減った場合、ステップＳＴ２０４に進む。一方、ＨＡＲＱの再送頻度が直前のＨＡＲＱの再送頻度より減っていない場合、ステップＳＴ２０６に進む。
【００３８】
ステップＳＴ２０４において、切り替えトリガ判定部３０７は、現在の通信モードがデュアル通信モード（デュアルＵＬ中）であるか否かを判定する。現在の通信モードがデュアル通信モードである場合、ステップＳＴ２０１に戻る。一方、現在の通信モードがデュアル通信モードでない場合、上りリンクシングル通信モードへの切り替え（単一ＵＬへの切り替え）を決定して、ステップＳＴ２０１に戻る。
ステップＳＴ２０５において、切り替えトリガ判定部３０７は、現在の通信モードがシングル通信モードであるか否かを判定する。現在の通信モードがシングル通信モードである場合、ステップＳＴ２０１に戻る。一方、現在の通信モードがシングル通信モードでない場合、上りリンクデュアル通信モードへの切り替え（デュアルＵＬへの切り替え）を決定して、ステップＳＴ２０１に戻る。
【００３９】
図１０は、本発明の第１の実施形態に係る上りリンク切り替え処理の一例を示すシーケンス図である。
ステップＳＴ３０１において、移動局装置３は、通信モードの切り替えが可能か否かの切り替え可否問い合わせをマクロセル基地局装置１に送信する。
ステップＳＴ３０２において、マクロセル基地局装置１は、移動局装置３から受信した通信モードの切り替えが可能か否かの切り替え可否問い合わせをスモールセル基地局装置２に送信する。
ステップＳＴ３０３において、スモールセル基地局装置２は、通信モードの切り替えが可能か否かの判定を行い、判定結果に応じて通信モードの切り替えが可能か否かを表す切り替え可否回答をマクロセル基地局装置１に送信する。
【００４０】
ステップＳＴ３０４において、マクロセル基地局装置１は、スモールセル基地局装置２から受信した通信モードの切り替えが可能か否かを表す切り替え可否回答を移動局装置３に送信する。
ステップＳＴ３０５において、移動局装置３は、通信モードの切り替えが可能か否かを表す切り替え可否回答に基づいて、通信モードの切り替えを指示する切り替え要求をマクロセル基地局装置１に送信する。
ステップＳＴ３０６において、マクロセル基地局装置１は、移動局装置３から受信した通信モードの切り替えを指示する切り替え要求をスモールセル基地局装置２に送信する。
【００４１】
ステップＳＴ３０７において、スモールセル基地局装置２は、マクロセル基地局装置１から受信した切り替え要求に基づいて、通信モードの切り替えを実行し、当該切り替えが完了したことを表す切り替え完了応答をマクロセル基地局装置１に送信する。
ステップＳＴ３０８において、マクロセル基地局装置１は、スモールセル基地局装置２から受信した切り替え完了応答を移動局装置３に送信し、通信モードの切り替え処理を完了する。
【００４２】
図１１は、本発明の第１の実施形態に係る移動局装置３における処理の一例を示すフローチャートである。
ステップＳＴ４０１において、切り替え問い合わせ部３０４１、３０５１は、通信モードの切り替えが可能か否かの切り替え可否問い合わせをマクロセル基地局装置１に送信する。
ステップＳＴ４０２において、受領部３０４２、３０５２は、切り替え可否問い合わせに対する回答として、切り替え可否回答をマクロセル基地局装置１から受信する。
ステップＳＴ４０３において、切り替えトリガ判定部３０７は、切り替え可否回答に基づいて、通信モードの切り替えが可能か否かを判定する。通信モードの切り替えが可能である場合、ステップＳＴ４０４に進む。一方、通信モードの切り替えが可能でない場合、通信モードの切り替えの処理を終了する。
【００４３】
ステップＳＴ４０４において、要求部３０４３、３０５３は、通信モードの切り替えを指示する切り替え要求をマクロセル基地局装置１に送信する。
ステップＳＴ４０５において、要求部３０４３、３０５３は、スモールセル基地局装置２の通信モードの切り替え処理が完了したことを表す切り替え完了応答をマクロセル基地局装置１から受信する。
ステップＳＴ４０６において、要求部３０４３、３０５３は、受信した切り替え完了応答に基づいて、自装置の通信モードの切り替えを実施し、切り替え処理を終了する。
【００４４】
図１２は、本発明の第１の実施形態に係るマクロセル基地局装置１における処理の一例を示すフローチャートである。
ステップＳＴ５０１において、問い合わせ受領部１０２は、通信モードの切り替えが可能か否かの切り替え可否問い合わせを移動局装置３から受信する。
ステップＳＴ５０２において、確認部１０３は、自装置の通信モードの切り替えが可能か否かを判定する。自装置の通信モードの切り替えが可能である場合、ステップＳＴ５０４に進む。一方、自装置の通信モードの切り替えが不可能である場合、ステップＳＴ５０３に進む。
ステップＳＴ５０３において、確認部１０３は、自装置の通信モードの切り替えが不可能であることを表す通信モード切り替え不可能通知を切り替え可否回答として生成し、生成した切り替え可否回答を移動局装置３に送信する。
ステップＳＴ５０４において、確認部１０３は、移動局装置３から受信した通信モードの切り替え可否問い合わせをスモールセル基地局装置２に送信する。
【００４５】
ステップＳＴ５０５において、回答受信部１０５は、切り替え可否回答をスモールセル基地局装置２から受信する。
ステップＳＴ５０６において、回答送信部１０６は、回答受信部１０５から入力された切り替え可否回答に基づいて、スモールセル基地局装置２の通信モードの切り替えが可能か否かを判定する。スモールセル基地局装置２の通信モードの切り替えが可能である場合、ステップＳＴ５０７に進む。一方、スモールセル基地局装置２の通信モードの切り替えが不可能である場合、ステップＳＴ５０３に戻り、回答送信部１０６は、通信モードの切り替えが不可能であることを表す切り替え可否回答を生成し、生成した切り替え可否回答を移動局装置３に送信する。
【００４６】
ステップＳＴ５０７において、回答送信部１０６は、通信モードの切り替えが可能であることを表す切り替え可否回答を生成し、生成した切り替え可否回答を移動局装置３に送信する。
ステップＳＴ５０８において、要求受信部１０７は、通信モードの切り替えを指示する切り替え要求を移動局装置３から受信する。
ステップＳＴ５０９において、要求送信部１０８は、移動局装置３から受信した通信モードの切り替えを指示する切り替え要求をスモールセル基地局装置２に送信する。
【００４７】
ステップＳＴ５１０において、応答受信部１０９は、スモールセル基地局装置２において通信モードの切り替えが完了したことを表す切り替え完了応答をスモールセル基地局装置２から受信する。
ステップＳＴ５１１において、切り替え実行部１１１は、自装置の通信モードを、切り替え要求が指示する通信モードに切り替える。切り替え実行部１１１は、スモールセル基地局装置２および自装置の通信モードの切り替えが完了したことを表す切り替え完了応答を生成する。
ステップＳＴ５１２において、応答送信部１１０は、自装置およびスモールセル基地局装置２の通信モードの霧化が完了したことを表す切り替え完了応答を移動局装置３に送信し、通信モードの切り替え処理を終了する。
【００４８】
図１３は、本発明の第１の実施形態に係るスモールセル基地局装置２における処理の一例を示すフローチャートである。
ステップＳＴ６０１において、問い合わせ受領部２０２は、通信モードの切り替えが可能か否かの切り替え可否問い合わせをマクロセル基地局装置１から受信する。
ステップＳＴ６０２において、回答送信部２０３は、自装置の通信モードの切り替えが可能か否かを判定する。自装置の通信モードの切り替えが可能である場合、ステップＳＴ６０４に進む。一方、自装置の通信モードの切り替えが不可能である場合、ステップＳＴ６０３に進む。
ステップＳＴ６０３において、回答送信部２０３は、自装置の通信モードの切り替えが不可能であることを表す通信モード切り替え不可能通知を切り替え可否回答として生成し、生成した切り替え可否回答をマクロセル基地局装置１に送信する。
【００４９】
ステップＳＴ６０４において、回答送信部２０３は、通信モードの切り替えが可能であることを表す切り替え可否回答を生成し、生成した切り替え可否回答をマクロセル基地局装置１に送信する。
ステップＳＴ６０５において、要求受信部２０４は、通信モードの切り替えを指示する切り替え要求をマクロセル基地局装置１から受信する。
ステップＳＴ６０６において、切り替え実行部２０５は、自装置の通信モードを切り替え要求が指示する通信モードに切り替える。
ステップＳＴ６０７において、通知部２０６は、自装置の通信モードの切り替えが完了したことを表す切り替え完了応答を生成し、生成した切り替え完了応答をマクロセル基地局装置１に送信して、通信モードの切り替え処理を終了する。
【００５０】
このように、本実施形態によれば、第１の基地局装置（マクロセル基地局装置１）および第２の基地局装置（スモールセル基地局装置２）と通信を行う移動局装置３において、移動局装置３は、第１の通信モードから第２の通信モードへの切り替えが可能か否かの問い合わせを前記第１の基地局装置（マクロセル基地局装置１）に送信する切り替え問い合わせ部３０４１、３０５１と、第１の基地局装置（マクロセル基地局装置１）から問い合わせの回答としての切り替え可否回答を受領する受領部３０４２、３０５２と、受領部３０４２、３０５２により受領された切り替え可否回答に基づいて第１の通信モードから第２の通信モードへの切り替え要求を第１の基地局装置（マクロセル基地局装置１）に送信する要求部３０４３、３０５３と、を備える。
【００５１】
これにより、移動局装置３は、移動局装置の電池状態やセルまでの距離、ＨＡＲＱの再送頻度などに応じて、適切に複数の通信モード、例えば、デュアル通信モードやシングル通信モードを切り替えることができる。また、移動局装置３は、デュアル通信モードと比べて送信電力を削減できるシングル通信モードとシングル通信モードと比べて安定したデータレートが得られるデュアル通信モードとを適切に切り替えることができ、データレートの低下を軽減できるとともに、消費電力を削減できるためユーザの利便性を向上させることができる。
【００５２】
なお、上述した各実施形態におけるマクロセル基地局装置１、スモールセル基地局装置２移動局装置３の一部、または全部をコンピュータで実現するようにしても良い。その場合、この制御機能を実現するためのプログラムをコンピュータ読み取り可能な記録媒体に記録して、この記録媒体に記録されたプログラムをコンピュータシステムに読み込ませ、実行することによって実現しても良い。なお、ここでいう「コンピュータシステム」とは、マクロセル基地局装置１、スモールセル基地局装置２移動局装置３に内蔵されたコンピュータシステムであって、ＯＳや周辺機器等のハードウェアを含むものとする。
【００５３】
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間、動的にプログラムを保持するもの、その場合のサーバやクライアントとなるコンピュータシステム内部の揮発性メモリのように、一定時間プログラムを保持しているものも含んでも良い。
また上記プログラムは、前述した機能の一部を実現するためのものであっても良く、さらに前述した機能をコンピュータシステムにすでに記録されているプログラムとの組み合わせで実現できるものであっても良い。
【００５４】
また、上述した各実施形態におけるマクロセル基地局装置１、スモールセル基地局装置２移動局装置３の一部、または全部を、ＬＳＩ（Ｌａｒｇｅ  Ｓｃａｌｅ  Ｉｎｔｅｇｒａｔｉｏｎ）等の集積回路として実現しても良い。マクロセル基地局装置１、スモールセル基地局装置２移動局装置３の各機能ブロックは個別にプロセッサ化してもよいし、一部、または全部を集積してプロセッサ化しても良い。また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いても良い。
【００５５】
以上、図面を参照してこの発明の各実施形態について詳しく説明してきたが、具体的な構成は上述のものに限られることはなく、この発明の要旨を逸脱しない範囲内において様々な設計変更等をすることが可能である。
【００５６】
（付記１）第１の基地局装置および第２の基地局装置と通信を行う移動局装置において、第１の通信モードから第２の通信モードへの切り替えが可能か否かの問い合わせを前記第１の基地局装置に送信する切り替え問い合わせ部と、前記第１の基地局装置から前記問い合わせの回答として切り替え可否回答を受領する受領部と、前記受領部により受領された前記切り替え可否回答に基づいて第１の通信モードから第２の通信モードへの切り替え要求を前記第１の基地局装置に送信する要求部と、を備えることを特徴とする移動局装置。
【００５７】
（付記２）前記切り替え問い合わせ部は、前記移動局装置の電力量または前記移動局装置によるデータの再送頻度に基づいて、前記第１の通信モードから第２の通信モードへの切り替えが可能か否かの問い合わせを前記第１の基地局装置に送信することを特徴とする請（付記１）に記載の移動局装置。
【００５８】
（付記３）第１の通信モードから第２の通信モードへの切り替えが可能か否かの問い合わせを受領する問い合わせ受領部と、前記問い合わせ受領部が受領した前記問い合わせに基づいて、第２の基地局装置に第１の通信モードから第２の通信モードへの切り替えが可能か否かの問い合わせを行う確認部と、前記確認部による問い合わせの応答として前記第２の基地局装置から切り替え可否回答を受信する回答受信部と、前記回答受信部により受信された切り替え可否回答に基づいて、移動局装置に切り替え可否回答を送信する回答送信部と、を備えることを特徴とする基地局装置。
【００５９】
（付記４）第１の通信モードから第２の通信モードへの切り替えの要求を受信する要求受信部と、前記要求受信部が受信した前記要求に基づいて、第１の通信モードから第２の通信モードに切り替える切り替え実行部と、前記切り替え実行部による第１の通信モードから第２の通信モードへの切り替えが完了すると、当該完了したことを移動局装置に通知する通知部と、を備えることを特徴とする基地局装置。
【００６０】
（付記５）第１の基地局装置、第２の基地局装置、および前記第１の基地局装置と前記第２の基地局装置と通信を行う移動局装置を備える通信システムにおいて、前記移動局装置は、第１の通信モードから第２の通信モードへの切り替えが可能か否かの問い合わせを前記第１の基地局装置に送信する切り替え問い合わせ部と、前記第１の基地局装置から前記問い合わせの回答としての切り替え可否回答を受領する受領部と、前記受領部により受領された前記切り替え可否回答に基づいて前記第２の基地局装置に第１の通信モードから第２の通信モードへの切り替えを要求する要求部と、を備え、前記第１の基地局装置は、前記移動局装置から受信した前記第１の通信モードから第２の通信モードへの切り替えが可能か否かの問い合わせに基づいて、前記第２の基地局装置に第１の通信モードから第２の通信モードへの切り替えが可能か否かの問い合わせを行う確認部と、前記確認部による問い合わせの応答として第２の基地局装置から切り替え可否回答を受信する受信部と、前記受信部により受信された切り替え可否回答に基づいて、前記移動局装置に切り替え可否回答を送信する回答送信部と、を備え、前記第２の基地局装置は、前記移動局装置から受信した前記要求に基づいて、第１の通信モードから第２の通信モードへの切り替えを実行する切り替え実行部と、前記切り替え実行部による第１の通信モードから第２の通信モードへの切り替えが完了すると、当該完了したことを移動局装置に通知する通知部と、を備えることを特徴とする通信システム。
【００６１】
（付記６）第１の基地局装置、第２の基地局装置、および前記第１の基地局装置と前記第２の基地局装置と通信を行う移動局装置を備える通信システムにおける通信方法であって、前記移動局装置が、第１の通信モードから第２の通信モードへの切り替えが可能か否かの問い合わせを前記第１の基地局装置に送信する切り換え問い合わせ過程と、前記第１の基地局装置から前記問い合わせの回答としての切り替え可否回答を受領する受領過程と、前記受領過程により受領された前記切り替え可否回答に基づいて前記第２の基地局装置に第１の通信モードから第２の通信モードへの切り替えを要求する要求過程と、を有し、前記第１の基地局装置が、前記移動局装置から受信した前記第１の通信モードから第２の通信モードへの切り替えが可能か否かの問い合わせに基づいて、前記第２の基地局装置に第１の通信モードから第２の通信モードへの切り替えが可能か否かの問い合わせを行う確認過程と、前記確認過程による問い合わせの応答として第２の基地局装置から切り替え可否回答を受信する受信過程と、前記受信過程により受信された切り替え可否回答に基づいて、前記移動局装置に切り替え可否回答を送信する回答送信過程と、を有し、前記第２の基地局装置が、前記移動局装置から受信した前記要求に基づいて、第１の通信モードから第２の通信モードへの切り替えを実行する切り替え実行過程と、前記切り替え実行過程による第１の通信モードから第２の通信モードへの切り替えが完了すると、当該完了したことを移動局装置に通知する通知過程と、を有することを特徴とする通信方法。
【符号の説明】
【００６２】
Ｓ・・・通信システム、１・・・マクロセル基地局装置、１０１・・・通信部、１０２・・・問い合わせ受領部、１０３・・・確認部、１０４・・・ネットワーク通信部、１０５・・・回答受信部、１０６・・・回答送信部、１０７・・・要求受信部、１０８・・・要求送信部、１０９・・・応答受信部、１１０・・・応答送信部、１１１・・・切り替え実行部、２・・・スモールセル基地局装置、２０１・・・ネットワーク通信部、２０２・・・問い合わせ受領部、２０３・・・回答送信部、２０４・・・要求受信部、２０５・・・切り替え実行部、２０６・・・通知部、３・・・移動局装置、３０１、３０１−１、３０１−２、３０１−Ｎ・・・受信アンテナ、３０２、３０２−１、３０２−２、３０２−Ｎ・・・受信部、３０３・・・制御部、３０４・・・単一ＨＡＲＱフィードバック処理部、３０４１、３０５１・・・切り替え問い合わせ部、３０４２、３０５２・・・受領部、３０４３、３０５３・・・要求部、３０５・・・複数ＨＡＲＱフィードバック処理部、３０６・・・再送頻度判定部、３０７・・・切り替えトリガ判定部、３０８、３０８−１、３０８−２、３０８−Ｎ・・・送信部、３０９、３０９−１、３０９−２、３０９−Ｎ・・・送信アンテナ、３１０・・・ユーザ設定記憶部、３１１・・・電池状態検出部、３１２・・・電池状態判定部、３１３・・・閾値記憶部、ＣＳ、ＣＭ・・・セル
【図１】
2015050665.tif 000003
【図２】
2015050665.tif 000004
【図３】
2015050665.tif 000005
【図４】
2015050665.tif 000006
【図５】
2015050665.tif 000007
【図６】
2015050665.tif 000008
【図７】
2015050665.tif 000009
【図８】
2015050665.tif 000010
【図９】
2015050665.tif 000011
【図１０】
2015050665.tif 000012
【図１１】
2015050665.tif 000013
【図１２】
2015050665.tif 000014
【図１３】
2015050665.tif 000015